(57)【要約】【課題】種々の使用態様に適応することができ、また、不使用時には取り外すことができる毛布連結具を提供する。【解決手段】毛布連結具１は、布状の一端側ベース１１と、一端側ベース１１に取り付けられて毛布５０の一端部５１に係合する係脱自在な一端側クリップ１２と、布状の他端側ベース２１と、他端側ベース２１に取り付けられて毛布５０の他端部５２に係合する係脱自在な他端側クリップ２２と、一端側ベース１１と他端側ベース２１とにそれぞれ取り付けられて相互に係合する係脱自在なファスナー（接続部材）３０とを備える。【選択図】図１
0003234869.tif 000002
【実用新案登録請求の範囲】
【請求項１】
１枚の毛布の一端部と他端部とを着脱自在に連結し、又は２枚の毛布のうちの１枚目の一端部と２枚目の他端部とを着脱自在に連結する毛布連結具において、
布状の一端側ベースと、
前記一端側ベースに取り付けられて前記一端部の一端縁に沿った複数個所に係合する係脱自在な複数の一端側クリップと、
布状の他端側ベースと、
前記他端側ベースに取り付けられて前記他端部の他端縁に沿った複数個所に係合する係脱自在な複数の他端側クリップと、
前記一端側ベースと前記他端側ベースとにそれぞれ取り付けられて相互に係合する係脱自在な接続部材と、を備え、
前記一端側ベース及び前記他端側ベースは、前記一端側クリップ及び前記他端側クリップを表面側及び裏面側から覆うカバー部を有し、
前記カバー部は、表面側及び裏面側を縫い合わせた縫い目により、前記一端側クリップ及び前記他端側クリップが配設されるとともに前記一端側クリップ及び前記他端側クリップの先端側が開口したポケット部を形成し、
前記ポケット部は、前記縫い目の開口側の端部に、前記一端縁及び前記他端縁の位置を規制する規制部を形成し、
前記規制部は、前記一端縁及び前記他端縁を前記一端側クリップ及び前記他端側クリップで挟み込む際に、前記一端縁及び前記他端縁が突き当てられて位置を規制する、
ことを特徴とする毛布連結具。
【請求項２】
前記接続部材は、前記一端側ベースと前記他端側ベースにそれぞれ取り付けられて相互に係合する係脱自在なＡ側部分とＢ側部分とを有するファスナー、面状ファスナー、又は複数のスナップボタンである、
ことを特徴とする請求項１に記載の毛布連結具。
【考案の詳細な説明】
【技術分野】
【０００１】
１枚の毛布の一端部と他端部とを着脱自在に連結し、又は２枚の毛布のうちの１枚目の一端部と２枚目の他端部とを着脱自在に連結する毛布連結具に関する。
【背景技術】
【０００２】
従来、２枚の毛布を連結するものが、特許文献１に提案されている。
このものは、上の毛布と下の毛布との回り（頭部を除く）にチャックを付けたものである。
チャックは、右側面から足元の中央まで延びて止まり、また、左側面から足元の中央まで延びて止まる。
このように構成したので、例えば、幼児が毛布を蹴って毛布が乱れたり、毛布から身体がはみ出したりするおそれはない。
また、幼児のおしめなどを取り替えるときには、チャックを外せば、作業も簡単に行うことができる。
【先行技術文献】
【特許文献】
【０００３】
【特許文献１】特開昭５２−０８８４５２号公報
【考案の概要】
【考案が解決しようとする課題】
【０００４】
しかしながら、特許文献１によると、チャックが毛布に取り付けられているため、仕様態様が限定され、また、チャック自体が不要な場合でもこれを取り外すことができないという問題があった。
【０００５】
すなわち、使用態様としては、上の毛布と下の毛布との、頭部を除いた左右側面と足元とをチャックで連結するといった使用態様に限定され、他の使用態様を適用することができないという問題がある。また、例えば、幼児が成長して、チャックが不要になった場合でも、チャック自体が毛布に取り付けられているため、これを取り外すことができないで邪魔になるという問題もある。
【０００６】
本考案は、上述した事情に鑑みてなされたものであり、種々の使用態様に適応することができ、また、不使用時には取り外すことができる毛布連結具を提供することを目的とする。
【課題を解決するための手段】
【０００７】
請求項１に係る発明は、１枚の毛布の一端部と他端部とを着脱自在に連結し、又は２枚の毛布のうちの１枚目の一端部と２枚目の他端部とを着脱自在に連結する毛布連結具において、布状の一端側ベースと、前記一端側ベースに取り付けられて前記一端部の一端縁に沿った複数個所に係合する係脱自在な複数の一端側クリップと、布状の他端側ベースと、前記他端側ベースに取り付けられて前記他端部の他端縁に沿った複数個所に係合する係脱自在な複数の他端側クリップと、前記一端側ベースと前記他端側ベースとにそれぞれ取り付けられて相互に係合する係脱自在な接続部材と、を備え、  前記一端側ベース及び前記他端側ベースは、前記一端側クリップ及び前記他端側クリップを表面側及び裏面側から覆うカバー部を有し、前記カバー部は、表面側及び裏面側を縫い合わせた縫い目により、前記一端側クリップ及び前記他端側クリップが配設されるとともに前記一端側クリップ及び前記他端側クリップの先端側が開口したポケット部を形成し、前記ポケット部は、前記縫い目の開口側の端部に、前記一端縁及び前記他端縁の位置を規制する規制部を形成し、前記規制部は、前記一端縁及び前記他端縁を前記一端側クリップ及び前記他端側クリップで挟み込む際に、前記一端縁及び前記他端縁が突き当てられて位置を規制する、ことを特徴とする。
【０００８】
請求項２に係る発明は、請求項１に係る毛布連結具において、前記接続部材は、前記一端側ベースと前記他端側ベースにそれぞれ取り付けられて相互に係合する係脱自在なＡ側部分とＢ側部分とを有するファスナー、面状ファスナー、又は複数のスナップボタンである、ことを特徴とする。
【考案の効果】
【０００９】
請求項１の考案によれば、毛布連結具は、布状の一端側ベースと、一端側ベースに取り付けられて一端部に係合する係脱自在な一端側クリップと、布状の他端側ベースと、他端側ベースに取り付けられて他端部に係合する係脱自在な他端側クリップと、一端側ベースと他端側ベースとにそれぞれ取り付けられて相互に係合する係脱自在な接続部材とを備える。
【００１０】
これにより、毛布連結具は、一端側クリップを毛布の一端部に係合し、また、他端側クリップを毛布の他端部に係合し、さらに、一端側ベースと他端側ベースとを相互に係合することで、毛布の一端部と他端部とを連結することができる。
【００１１】
ここで、例えば、毛布の一端部と他端部とが同じ１枚の毛布にある場合には、１枚の毛布の一端部と他端部とを連結することにより、１枚の毛布を丸めてその毛布にくるまることができる。また、例えば、毛布の一端部と他端部とが、それぞれ別の毛布にある場合には、２枚の毛布を重ね合わせ、毛布の左側部の上部と下部、及び右側部の上部と下部とに４枚の毛布連結具を取り付けることで、従来技術とほぼ同様に使用することができる。
すなわち、毛布連結具は、１枚の毛布又は２枚の毛布の任意の位置に取り付けることができるので、種々の使用態様に適用することができる。
【００１２】
また、毛布連結具は、不使用時には、一端側クリップを毛布の一端部から取り外し、また、他端側クリップを毛布の他端部から取り外すことにより、従来技術とは異なり、毛布の一端部及び他端部には、何も残らないので、邪魔になるようなことはない。
【００１３】
また、毛布連結具は、一端部の一端縁に沿った複数個所に係脱する複数の一端側クリップと、他端部の他端縁に沿った複数個所に係脱する複数の他端側クリップとを備える。
これにより、毛布連結具は、高い精度で毛布の一端部と他端部とを連結することができる。
【００１４】
すなわち、毛布の一端部に対して、単数の一端側クリップではなく、複数の一端側クリップが係合するので、一端側ベースの取付け精度は高い。また、同様に、毛布の他端部に対して、単数の他端側クリップではなく、複数の他端側クリップが係合するので、他端側ベースの取付け精度は高い。
【００１５】
また、毛布連結具は、一端部と他端部との連結を一端解除して、すぐに再び連結関係を維持するような場合、複数の一端側クリップや他端側クリップではなく、接続部材を使用して、連結の解除、及び連結の維持を行うことにより、他人の助けを借りることなく、使用者本人でも簡単に行うことができる。
【００１６】
また、毛布連結具は、一端側ベース及び他端側ベースが、一端側クリップ及び他端側クリップを表面側及び裏面側から覆うカバー部を有する。
これにより、毛布連結具は、その使用時に、身体が一端側クリップ及び他端側クリップに、直接、接触することがない。
【００１７】
また、毛布連結具は、カバー部は、一端側クリップ及び他端側クリップが配設されるとともに一端側クリップ及び他端側クリップの先端側が開口したポケット部を有する。
これにより、毛布連結具は、一端側クリップ及び他端側クリップの係脱作業がやりやすい。
また、毛布連結具は、ポケット部は、開口側に、一端部の一端縁及び他端部の他端縁の位置を規制する規制部を有している。
これにより、毛布連結具は、毛布の一端部を一端側クリップで係合する際、及び毛布の他端部を他端側クリップで係合する際に、それぞれ一端縁及び他端縁が規制部に当たって、位置が決められる。
【００１８】
請求項２に係る発明によれば、接続部材は、一端側ベースと他端側ベースにそれぞれ取り付けられて相互に係合する係脱自在なＡ側部分とＢ側部分とを有するファスナー、面状ファスナー、又は複数のスナップボタンである。連結部材は、ファスナー、面状ファスナー、又は複数のスナップボタンであるので、Ａ側部分とＢ側部分とが、点状ではなく、線状又は面状に連結されるので、連結精度は高い。
したがって、毛布連結具は、毛布の一端部と他端部とを、高い精度で連結することができる。
【図面の簡単な説明】
【００１９】
【図１】１枚の毛布５０の一端部５１と他端部５２とを連結した状態を示す毛布連結具１の模式的な平面図である。
【図２】図１中のＣ−Ｃ線矢視拡大図である。
【図３】長方形の毛布５０の長い方の一端部５１と他端部５２とを外側にして、毛布連結具１で連結した状態を示す図である。
【図４】長方形の毛布５０の長い方の一端部５１と他端部５２とを内側にして、毛布連結具１で連結した状態を示す図である。
【図５】上下２枚の毛布５０，６０を重ねて、４枚の毛布連結具１で連結した状態を示す図である。
【考案を実施するための形態】
【００２０】
以下、本考案を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図５を参照して本考案を適用した実施形態１に係る毛布連結具１について説明する。
【００２１】
図１〜図５のうち、図１は、１枚の毛布５０の一端部５１と他端部５２とを連結した状態を示す毛布連結具１の模式的な平面図である。また、図２は、図１中のＣ−Ｃ線矢視図をほぼ２倍に拡大した拡大図である。
なお、図３〜図５についての後に説明する。
【００２２】
毛布連結具１は、１枚の毛布５０の一端部５１と他端部５２とを着脱自在に連結し、又は２枚の毛布５０，６０のうちの１枚目の一端部５１と２枚目の他端部６１とを着脱自在に連結するものである。
なお、以下の説明では、図１に示すように、毛布連結具１が、１枚の毛布５０の一端部５１と他端部５２とを着脱自在に連結する例について説明する。
【００２３】
毛布連結具１は、図１、図２に示すように、一端側ベース１１、一端側クリップ１２、他端側ベース２１、他端側クリップ２２、及び接続部材としてのファスナー３０を備えて構成されている。
【００２４】
このうち一端側ベース１１は、布状で、長手方向（図１の縦方向）に長い短冊状に形成されている。一端側ベース１１の長さＨ（長手方向に沿った長さ）は、例えば、長方形の一般的な毛布５０の長い方の辺の１／３以上に設定されている。一端側ベース１１は、このように比較的、長く形成され、また、後述するように一端側クリップ１２を長手方向に沿って複数、配設することにより、一端部５１に対して、安定的に連結されている。
一端側ベース１１は、一端側クリップ１２を表面側から覆うカバー部１１ａと、裏面側から覆うカバー部１１ｂとを有している。
【００２５】
これらカバー部１１ａ，１１ｂは、２枚が重ね合わされている。カバー部１１ａ，１１ｂは、中央のファスナー３０近傍でこのファスナー３０に沿って縫い合わされて、長手方向に沿った縦向きの縫い目Ｌ１が形成されている。さらに、この縫い目Ｌ１に対して直角な横向きの縫い目Ｌ２が複数（本実施形態では６本）形成されている。これら縫い目Ｌ２は、カバー部１１ａ，１１ｂの幅Ｗの１／３程度のところで止まっており、その終点が規制部Ｔとなっている。規制部Ｔは、毛布の一端部５１を、一端側クリップ１２で挟み込む際に、一端部５１の一端縁５１ａが付き当てられるものであり、一端縁５１ａの位置を規制するものである。
【００２６】
隣接する２本の横向きの縫い目Ｌ２と、縦向きの縫い目Ｌ１との間には、複数（本実施形態では５個）のポケット部Ｐ１〜Ｐ５が形成されている。ポケット部Ｐ１〜Ｐ５は、外側が開口している。上述の規制部Ｔは、ポケット部Ｐ１〜Ｐ５の開口側の端部となっている。
【００２７】
一端側クリップ１２は、上述の一端側ベース１１に取り付けられて毛布５０の一端部５１に係脱自在に係合する。本実施形態では、一端側クリップ１２は、一端部５１の一端縁５１ａに沿った複数個所に係脱する複数（５個）配設されている。
【００２８】
各一端側クリップ１２は、各ポケット部Ｐ１〜Ｐ５に配設されている。一端側クリップ１２は、クリップ本体１２ａ、リング１２ｂ、及びテープ１２ｃを有している。
【００２９】
テープ１２ｃは、縫い目Ｌ１に縫い込まれた円筒状に形成されている。そして、リング１２ｂは、クリップ本体１２ａの基端部及びテープ１２ｃを貫通している。リング１２ｂは、テープ１２ｃを中心に揺動自在であり、また、クリップ本体１２ａは、基端部を貫通するリング１２ｂを中心に揺動自在である。クリップ本体１２ａは、先端（左端）１２ｄが口を開けるようになっていて、その口の奥まで一端部５１を挟み込んだ際に、一端縁５１ａの位置が、ほぼ規制部Ｔの位置と一致するように設定されている。
他端側ベース２１は、上述の一端側ベース１１とほぼ同様である。
【００３０】
すなわち、他端側ベース２１は、布状で、長手方向（図１の縦方向）に長い短冊状に形成されている。他端側ベース２１の長さＨ（長手方向に沿った長さ）は、例えば、長方形の一般的な毛布５０の長い方の辺の１／３以上に設定されている。他端側ベース２１は、このように比較的、長く形成され、また、後述するように他端側クリップ２２を長手方向に沿って複数、配設することにより、他端部５２に対して、安定的に連結されている。
他端側ベース２１は、他端側クリップ２２を表面側から覆うカバー部２１ａと、裏面側から覆うカバー部２１ｂとを有している。
【００３１】
これらカバー部２１ａ，２１ｂは、２枚が重ね合わされている。カバー部２１ａ，２１ｂは、中央のファスナー３０近傍でこのファスナー３０に沿って縫い合わされて、長手方向に沿った縦向きの縫い目Ｌ３が形成されている。さらに、この縫い目Ｌ３に対して直角な横向きの縫い目Ｌ４が複数（本実施形態では６本）形成されている。これら縫い目Ｌ４は、カバー部２１ａ，２１ｂの幅Ｗの１／３程度のところで止まっており、その終点が規制部Ｔとなっている。規制部Ｔは、毛布の他端部５２を、他端側クリップ２２で挟み込む際に、他端部５２の他端縁５２ａが付き当てられるものであり、他端縁５２ａの位置を規制するものである。
【００３２】
隣接する２本の横向きの縫い目Ｌ４と、縦向きの縫い目Ｌ３との間には、複数（本実施形態では５個）のポケット部Ｐ６〜Ｐ１０が形成されている。ポケット部Ｐ６〜Ｐ１０は、外側が開口している。上述の規制部Ｔは、ポケット部Ｐ６〜Ｐ１０の開口側の端部となっている。
他端側クリップ２２は、上述の一端側クリップ１２とほぼ同様である。
【００３３】
すなわち、他端側クリップ２２は、上述の他端側ベース２１に取り付けられて毛布５０の他端部５２に係脱自在に係合する。本実施形態では、他端側クリップ２２は、他端部５２の他端縁５２ａに沿った複数個所に係脱する複数（５個）配設されている。
【００３４】
各他端側クリップ２２は、各ポケット部Ｐ６〜Ｐ１０に配設されている。他端側クリップ２２は、図２に示すように、クリップ本体２２ａ、リング２２ｂ、及びテープ２２ｃを有している。
【００３５】
テープ２２ｃは、縫い目Ｌ３に縫い込まれた円筒状に形成されている。そして、リング２２ｂは、クリップ本体２２ａの基端部及びテープ２２ｃを貫通している。リング２２ｂは、テープ２２ｃを中心に揺動自在であり、また、クリップ本体２２ａは、基端部を貫通するリング２２ｂを中心に揺動自在である。クリップ本体２２ａは、先端（右端）２２ｄが口を開けるようになっていて、その口の奥まで他端部５２を挟み込んだ際に、他端縁５２ａの位置が、ほぼ規制部Ｔの位置と一致するように設定されている。
【００３６】
連結部材としてのファスナー３０は、長手方向に向けて配設されている。ファスナー３０は、Ａ側部分３１とＢ側部分３２とを有していて、Ａ側部分３１は、縫い目Ｌ１により、一端側ベース１１に縫い付けられており、また、Ｂ側部分３２は、縫い目Ｌ３により、他端側ベース２１に縫い付けられている。ファスナー３０は、これらＡ側部分３１とＢ側部分３２とを接続することにより、一端側ベース１１と他端側ベース２１とを接続する。また、これらを切り離すことにより、一端側ベース１１と他端側ベース２１とを切り離す。
なお、図１は、ファスナー３０のＡ側部分３１とＢ側部分３２とを係合して、一端側ベース１１と他端側ベース２１とを接続した状態を示している。
【００３７】
以上では、接続部材として、ファスナー３０について説明したが、接続部材としては、ファスナー以外に、Ａ側部分とＢ側部分とを有する面ファスナーや複数のスナップボタンを使用することもできる。
上述構成の毛布連結具１は、例えば、図３〜図５に示す実施態様で使用することができる。
【００３８】
ここで、図３は、長方形の毛布５０の長い方の一端部５１と他端部５２とを外側にして、毛布連結具１で連結した状態を示す図である。また、図４は、長方形の毛布５０の長い方の一端部５１と他端部５２とを内側にして、毛布連結具１で連結した状態を示す図である。また、図５は、上下２枚の毛布５０，６０を重ねて、４枚の毛布連結具１で連結した状態を示す図である。
【００３９】
図３に示す実施態様は、長方形の毛布５０の長い方をループ状に巻き、一端部５１と他端部５２とをループの外側に出して、毛布連結具１で連結したものである。使用者Ｍは、ループ状に巻いた毛布５０にくるまることができる。
【００４０】
図４に示す実施態様は、長方形の毛布５０の長い方をループ状に巻き、一端部５１と他端部５２とをループの内側に入れて、毛布連結具１で連結したものである。図３に示すものと同様、使用者（不図示）は、ループ状に巻いた毛布５０にくるまることができる。
【００４１】
図５に示す実施態様は、長方形の毛布５０，６０を重ね、上の毛布５０の４箇所の一端部５１と下の毛布６０の４箇所の他端部６１とを、それぞれ毛布連結具１で連結したものである。使用者は、上の毛布５０と下の毛布６０との間に入ることができる。
なお、図５に示す実施態様は、従来技術で示す実施態様とほぼ同様である。
図３〜図５に示すように、本実施形態に係る毛布連結具１は、種々の実施態様に適用することができる。
以下に、本実施形態に係る毛布連結具１の作用、効果を纏める。
【００４２】
・毛布連結具１は、布状の一端側ベース１１と、一端側ベース１１に取り付けられて毛布５０の一端部５１に係合する係脱自在な一端側クリップ１２と、布状の他端側ベース２１と、他端側ベース２１に取り付けられて毛布５０の他端部５２に係合する係脱自在な他端側クリップ２２と、一端側ベース１１と他端側ベース２１とにそれぞれ取り付けられて相互に係合する係脱自在な接続部材（ファスナー３０）とを備える。
【００４３】
これにより、毛布連結具１は、一端側クリップ１２を毛布５０の一端部５１に係合し、また、他端側クリップ２２を毛布５０の他端部５２に係合し、さらに、一端側ベース１１と他端側ベース２１とを接続部材により、相互に係合することで、毛布５０の一端部５１と他端部５２とを連結することができる。
【００４４】
ここで、例えば、毛布５０の一端部５１と他端部５２とが同じ１枚の毛布５０にある場合には、１枚の毛布５０の一端部５１と他端部５２とを連結することにより、１枚の毛布５０を丸めてその毛布にくるまることができる。また、例えば、毛布５０，６０の一端部５１と他端部６１とが、それぞれ別の毛布５０，６０にある場合には、２枚の毛布５０，６０を重ね合わせ、毛布５０，６０の左側部の上部と下部、及び右側部の上部と下部とに４枚の毛布連結具１を取り付けることで、従来技術とほぼ同様に使用することができる。
すなわち、毛布連結具１は、１枚の毛布５０又は２枚の毛布５０，６０の任意の位置に取り付けることができるので、種々の使用態様に適用することができる。
【００４５】
また、毛布連結具１は、不使用時には、一端側クリップ１２を毛布の一端部５１から取り外し、また、他端側クリップ２２を毛布５０の他端部５２から取り外すことにより、従来技術とは異なり、毛布５０の一端部及び他端部には、何も残らないので、邪魔になるようなことはない。
【００４６】
・毛布連結具１は、一端部５１の一端縁５１ａに沿った複数個所に係脱する複数の一端側クリップ１２と、他端部５２の他端縁５２ａに沿った複数個所に係脱する複数の他端側クリップ２２とを備え、接続部材は、一端側ベース１１と他端側ベース２１にそれぞれ取り付けられて相互に係合する係脱自在なＡ側部分３１とＢ側部分３２とを有するファスナー３０、面状ファスナー、又は複数のスナップボタンである。
これにより、毛布連結具１は、高い精度で毛布５０の一端部５１と他端部５２とを連結することができる。
【００４７】
すなわち、毛布５０の一端部５１に対して、単数の一端側クリップ１２ではなく、複数の一端側クリップ１２が係合するので、一端側ベース１１の取付け精度は高い。また、同様に、毛布５０の他端部５２に対して、単数の他端側クリップ２２ではなく、複数の他端側クリップ２２が係合するので、他端側ベース２１の取付け精度は高い。さらに、連結部材は、ファスナー３０、面状ファスナー、又は複数のスナップボタンであるので、Ａ側部分３１とＢ側部分３２とが、点状ではなく、線状又は面状に連結されるので、連結精度は高い。
したがって、毛布連結具１は、毛布５０の一端部５１と他端部５２とを、高い精度で連結することができる。
【００４８】
また、毛布連結具１は、一端部５１と他端部５２との連結を一端解除して、すぐに再び連結関係を維持するような場合、複数の一端側クリップ１２や他端側クリップ２２ではなく、接続部材を使用して、連結の解除、及び連結の維持を行うことにより、他人の助けを借りることなく、使用者本人でも簡単に行うことができる。
【００４９】
・毛布連結具１は、一端側ベース１１及び他端側ベース２１が、一端側クリップ１２及び他端側クリップ２２を表面側及び裏面側から覆うカバー部１１ａ，１１ｂ，２１ａ，２１ｂを有する。
これにより、毛布連結具１は、その使用時に、身体が一端側クリップ１２及び他端側クリップ２２に、直接、接触することがない。
【００５０】
・毛布連結具１は、カバー部１１ａ，１１ｂ，２１ａ，２１ｂは、一端側クリップ１２及び他端側クリップ２２が配設されるとともに一端側クリップ１２及び他端側クリップ２２の先端側が開口したポケット部Ｐ１〜Ｐ１０を有する。
これにより、毛布連結具１は、一端側クリップ１２及び他端側クリップ２２の係脱作業がやりやすい。
・毛布連結具１は、ポケット部Ｐ１〜Ｐ１０は、開口側に、一端部５１の一端縁５１ａ及び他端部５２の他端縁５２ａの位置を規制する規制部Ｔを有している。
【００５１】
これにより、毛布連結具１は、毛布５０の一端部５１を一端側クリップ１２で係合する際、及び毛布５０の他端部５２を他端側クリップ２２で係合する際に、それぞれ一端縁５１ａ及び他端縁５２ａが規制部Ｔに当たって、位置が決められる。
【００５２】
なお、以上では、毛布連結具１を、１枚の毛布５０や２枚の毛布５０，６０に適用する場合を例に説明したが、本考案に係る毛布連結具１は、毛布以外にも、毛布に類したもの、例えば、タオルケットや布団に対しても使用することができる。
【符号の説明】
【００５３】
１      毛布連結具
１１    一端側ベース
１１ａ，１１ｂ，１２ａ，１２ｂ
カバー部
１２    一端側クリップ
２１    他端側ベース
２２    他端側クリップ
３０    ファスナー（接続部材）
３１    Ａ側部分
３２    Ｂ側部分
５０，６０
毛布
５１    一端部
５１ａ  一端縁
５２，６１
他端部
５２ａ  他端縁
Ｍ      使用者
Ｐ１〜Ｐ１０
ポケット部
Ｔ      規制部
【図１】
0003234869.tif 000003
【図２】
0003234869.tif 000004
【図３】
0003234869.tif 000005
【図４】
0003234869.tif 000006
【図５】
0003234869.tif 000007